(57)【要約】      （修正有）【課題】早期生着性に優れ、かつ垂直方向及び回転方向の咬合力に対しても高い安定性を有する歯科用インプラントフィクスチャを提供すること。【解決手段】歯科用インプラントフィクスチャ１００は、歯槽骨に埋入されて結合する円柱状の歯科用インプラントフィクスチャであって、歯槽骨に埋入されたときに歯槽骨の海綿骨に位置する第１部位１３２と、歯槽骨に埋入されたときに歯槽骨の皮質骨に位置する第２部位と、を備え、第２部位の外周面上を円周方向に延び、かつ中心軸ＡＸ方向に変位する複数の波溝１３４ａが形成されている。【選択図】図１
2019146813.tif 000002
【特許請求の範囲】
【請求項１】
歯槽骨に埋入されて結合する円柱状の歯科用インプラントフィクスチャであって、
前記歯槽骨に埋入されたときに、前記歯槽骨の海綿骨に位置する第１部位と、
前記歯槽骨に埋入されたときに、前記歯槽骨の皮質骨に位置する第２部位と、
を備え、
前記第２部位の外周面上を円周方向に延び、かつ中心軸方向に変位する複数の波溝が形成されている
ことを特徴とする歯科用インプラントフィクスチャ。
【請求項２】
前記複数の波溝が、前記中心軸方向に所定のピッチで形成されていることを特徴とする請求項１に記載の歯科用インプラントフィクスチャ。
【請求項３】
前記各波溝の幅が、前記ピッチの略１／２であることを特徴とする請求項２に記載の歯科用インプラントフィクスチャ。
【請求項４】
前記各波溝の溝底の形状が、半円形であることを特徴とする請求項１から請求項３のいずれか一項に記載の歯科用インプラントフィクスチャ。
【請求項５】
前記各波溝は、前記第２部位の外周面上を円周方向に延び、かつ前記中心軸方向に変位する一定の波形パターンを、円周方向においてＮ回（Ｎは１以上の整数）繰り返した形状を呈していることを特徴とする請求項１から請求項４のいずれか一項に記載の歯科用インプラントフィクスチャ。
【請求項６】
前記波形パターンが、正弦曲線であることを特徴とする請求項５に記載の歯科用インプラントフィクスチャ。
【請求項７】
前記第１部位の外周面上に、セルフタップのネジ山が形成されていることを特徴とする請求項１から請求項６のいずれか一項に記載の歯科用インプラントフィクスチャ。
【発明の詳細な説明】
【技術分野】
【０００１】
本発明は、歯科用のインプラントに関し、特に、歯槽骨に埋入されて結合する歯科用インプラントフィクスチャに関する。
【背景技術】
【０００２】
従来から、歯周病や外傷等によって永久歯の歯根が失われた場合の治療手段として、歯科用インプラントによる治療が広く普及している。
【０００３】
歯科用インプラントは、歯を喪失した部分の歯槽骨（顎骨）に埋入されて固着する人工歯根（以下、「フィクスチャ」又は「歯科用インプラントフィクスチャ」という。）と、フィクスチャに装着されるアバットメントと、アバットメントに装着され人工歯として機能する補綴物とから構成される。このような構成の歯科用インプラントは、例えば、特許文献１に記載されている。
【０００４】
このような歯科用インプラントにおいては、フィクスチャが長期間にわたって歯槽骨に埋め込まれ、フィクスチャの基端部（アバットメント側の端部）側の外周面が皮質骨と生着するため、フィクスチャの基端部には極めて大きな咬合力が加わることとなる。従って、このような歯科用インプラントのフィクスチャにおいては、早期生着性、咬合力に対する安定性の観点から、皮質骨と直接接触する基端部側の表面形状が極めて重要となるため、様々な提案がなされている。
【０００５】
例えば、特許文献１には、フィクスチャの基端部側を先端部側よりも大径にし、その外周面に螺旋状のマイクロスレッド（細かい凹凸）を設けた構成が記載されている。
【先行技術文献】
【特許文献】
【０００６】
【特許文献１】特開２０１０−１３６９４３号公報
【発明の概要】
【発明が解決しようとする課題】
【０００７】
特許文献１に記載の構成によれば、マイクロスレッドによって辺縁骨部位でのピークストレスを軽減し、荷重を平均に分配することができると共に、骨組織との結合を促進することができるとされている。しかしながら、特許文献１のマイクロスレッドは、螺旋状のものであるため、フィクスチャに対して垂直方向（つまり、軸方向）の荷重に対しては荷重を分配することができるものの、回転方向の荷重に対しては荷重を分配する効果が殆ど働かないといった問題がある。また、マイクロスレッドのない構成と比較すると、マイクロスレッドを設けることにより、表面積が増加するため、骨組織との結合が促進する方向に働くが、市場においてはさらに早期生着性に優れるものが求められている。
【０００８】
本発明は、このような事情に鑑みてなされたものであり、早期生着性に優れ、かつ垂直方向及び回転方向の咬合力に対しても高い安定性を有する歯科用インプラントフィクスチャを提供することを目的とする。
【課題を解決するための手段】
【０００９】
上記目的を達成するため、本発明者は、鋭意検討した結果、フィクスチャの基端部側の外周面（つまり、皮質骨に面する外周面）に複数の環状の波溝を形成することにより、早期生着性に優れ、かつ垂直方向及び回転方向の咬合力に対しても高い安定性を有する歯科用インプラントフィクスチャを得ることができることを見出し、本発明を完成するに至った。
【００１０】
すなわち、本発明の歯科用インプラントフィクスチャは、歯槽骨に埋入されて結合する円柱状の歯科用インプラントフィクスチャであって、歯槽骨に埋入されたときに歯槽骨の海綿骨に位置する第１部位と、歯槽骨に埋入されたときに歯槽骨の皮質骨に位置する第２部位と、を備え、第２部位の外周面上を円周方向に延び、かつ中心軸方向に変位する複数の波溝が形成されていることを特徴とする。
【００１１】
また、複数の波溝が、中心軸方向に所定のピッチで形成されていることが望ましい。また、この場合、各波溝の幅が、ピッチの略１／２であることが望ましい。
【００１２】
また、各波溝の溝底の形状が、半円形となるように構成することができる。
【００１３】
また、各波溝は、第２部位の外周面上を円周方向に延び、かつ中心軸方向に変位する一定の波形パターンを、円周方向においてＮ回（Ｎは１以上の整数）繰り返した形状を呈していることが望ましい。また、この場合、波形パターンが、正弦曲線であることが望ましい。
【００１４】
また、第１部位の外周面上に、セルフタップのネジ山が形成されていることが望ましい。
【発明の効果】
【００１５】
以上のように、本発明によれば、生着性に優れ、かつ垂直方向及び回転方向の咬合力に対しても高い安定性を有する歯科用インプラントフィクスチャが実現される。
【図面の簡単な説明】
【００１６】
【図１】本発明の実施形態に係る歯科用インプラントフィクスチャの概略構成を示す図である。
【図２】図２は、本発明の実施形態に係る歯科用インプラントフィクスチャが埋入された状態を説明する図である。
【図３】図３は、本発明の実施例１の歯科用インプラントフィクスチャの第２部位を示す図である。
【図４】図４は、本発明の実施例２の歯科用インプラントフィクスチャの第２部位を示す図である。
【図５】図５は、本発明の比較例１の歯科用インプラントフィクスチャの第２部位を示す図である。
【図６】図６は、本発明の比較例２の歯科用インプラントフィクスチャの第２部位を示す図である。
【図７】図７は、本発明の比較例３の歯科用インプラントフィクスチャの第２部位を示す図である。
【図８】図８は、本発明の比較例４の歯科用インプラントフィクスチャの第２部位を示す図である。
【図９】図９は、本発明の比較例５の歯科用インプラントフィクスチャの第２部位を示す図である。
【図１０】図１０は、本発明の比較例６の歯科用インプラントフィクスチャの第２部位を示す図である。
【発明を実施するための形態】
【００１７】
以下、本発明の実施の形態について図面を参照して詳細に説明する。但し、この実施形態に記載される構成要素、種類、組み合わせ、材質、形状、その相対配置などは特定的な記載がない限り、この発明の範囲をそれのみに限定する主旨ではなく単なる説明例に過ぎない。なお、図中同一又は相当部分には同一の符号を付してその説明は繰り返さない。
【００１８】
（フィクスチャ１００の構成）
図１は、本発明の実施形態に係るフィクスチャ１００の概略構成を示す図であり、図１（ａ）は、フィクスチャ１００の正面図であり、図１（ｂ）は、フィクスチャ１００の断面図である。また、図２は、本発明の実施形態に係るフィクスチャ１００が埋入された状態を説明する図である。
【００１９】
本実施形態のフィクスチャ１００は、いわゆる歯科用インプラントフィクスチャであり、予め歯槽骨（顎骨）１０に形成された埋込穴に埋入されて固着される部材である。図２に示すように、歯科用インプラント治療においては、フィクスチャ１００が歯槽骨１０に対して固定された後、歯茎２０から突出するように、フィクスチャ１００にアバットメント２００が装着され、さらにアバットメント２００に補綴物３００が装着される。
【００２０】
図１に示すように、フィクスチャ１００本体は、略円柱状の形状を呈しており、先端部１１０、基端部１２０、外周部１３０、連結部１４０等から構成されている。そして、フィクスチャ１００を歯槽骨１０に埋入したとき、先端部１１０が歯槽骨１０の海綿骨１３側に位置し、基端部１２０が歯槽骨１０の皮質骨１２側に位置するようになっている（図２）。なお、フィクスチャ１００の基材には、歯槽骨１０との親和性を有する純チタン、チタン合金（例えば、Ｔｉ−１５Ｍｏ−５Ｚｒ−３Ａｌ、Ｔｉ−６Ａｌ−４Ｖなど）が用いられる。
【００２１】
図１に示すように、本実施形態のフィクスチャ１００の外周部１３０は、先端部１１０側に位置する第１部位１３２と、基端部１２０側に位置する第２部位１３４から構成されている。フィクスチャ１００の第１部位１３２は、フィクスチャ１００を歯槽骨１０に埋入したとき、海綿骨１３に位置する部位であり、第１部位１３２の外周面にはネジ山１３２ａが形成されている。ネジ山１３２ａは、先端部１１０側に向かって等間隔（例えば、１ｍｍピッチ（二条ネジ））で螺旋状に延びており、フィクスチャ１００を取り付ける際に、歯槽骨１０に開けた穴にフィクスチャ１００を挿入して回転させると、フィクスチャ１００は歯槽骨１０にセルフタップで螺入する。
【００２２】
フィクスチャ１００の第２部位１３４は、フィクスチャ１００を歯槽骨１０に埋入したとき、皮質骨１２に位置する部位である。第２部位１３４の外周面には、外周面上を円周方向に延び、かつ中心軸ＡＸの方向に変位する複数（例えば、８本）の環状の波溝１３４ａが形成されている。具体的には、本実施形態の各波溝１３４ａは、例えば、溝幅０．２ｍｍ、深さ０．１ｍｍ、ピッチ（中心軸ＡＸ方向の間隔）０．４ｍｍの溝である。また、本実施形態においては、各波溝１３４ａは、外周面上を円周方向に延び、かつ中心軸ＡＸの方向に変位する正弦曲線状の波形パターンを、円周方向において４回繰り返した形状を呈している。つまり、本実施形態の各波溝１３４ａの波形の形状は、振幅（中心軸ＡＸの方向に変位）をＹとし、中心軸ＡＸに対する角度をθとしたときに、Ｙ×ｓｉｎ（４θ）で表すことができる。
【００２３】
連結部１４０は、フィクスチャ１００の基端部１２０側に形成された有底孔であり、アバットメント２００を収容して固定する部位である。連結部１４０は、アバットメント２００の先端部に形成されたネジ部（不図示）と螺合するネジ穴１４０ａと、アバットメント２００の先端部を収容する収容部１４０ｂと、からなる。歯科用インプラント治療においては、アバットメント２００がネジ穴１４０ａにねじ込まれ、アバットメント２００の先端部が収容部１４０ｂに収容されて固定される。そして、アバットメント２００の基端部側に人工歯として機能する補綴物３００が装着される（図２）。
【００２４】
上述ように、本実施形態のフィクスチャ１００においては、皮質骨１２に位置する第２部位１３４の外周面に複数の環状の波溝１３４ａが形成されている。このため、皮質骨１２と接触する表面積が大きくなり、生着性に優れたものとなる。また、外周面上を円周方向に延び、かつ中心軸ＡＸの方向に変位する波溝１３４ａが形成されていることによって、垂直方向（中心軸ＡＸ方向）の応力が加わったときに皮質骨１２との間で摩擦力が生じると共に、回転方向の応力が加わったときにも皮質骨１２との間で摩擦力が生じる。このため、本実施形態のフィクスチャ１００は、垂直方向及び回転方向の咬合力に対しても高い安定性を有するものとなっている（詳細は後述）。
【００２５】
（フィクスチャ１００の製造方法）
基材として純チタンの棒材を使用し、これを切削加工して図１に示す形状のフィクスチャ１００を製造する。なお、歯槽骨１０と結合する外周部１３０は、抜け防止の観点から中等度粗面といわれる粗面であることが好ましいため、アルミナ、ハイドロキシアパタイト、酸化チタン等の金属酸化物の粒子でサンドブラスト処理を行う。また、必要に応じて、サンドブラスト処理に加えて、塩酸、硫酸等でエッチング処理を行う。
【実施例】
【００２６】
以下、本実施形態のフィクスチャ１００の波溝１３４ａの具体的な構成とその作用効果について、実施例１、２及び比較例１〜６を挙げてさらに詳述する。図３〜１０は、それぞれ実施例１、２及び比較例１〜６のフィクスチャの第２部位を示す図である。実施例１と実施例２は、フィクスチャ１００の外径のみ異なり、実施例１と比較例１〜３、実施例２と比較例４〜６は、それぞれフィクスチャの第２部位の構成のみ異なるものであるため、図３〜１０においては、フィクスチャの第２部位のみ示し、他の構成については省略している。
【００２７】
（実施例１）
図３に示すように、実施例１のフィクスチャ１００の第２部位１３４は、外径φ３．５ｍｍ、長さ４ｍｍであり、外周面には、８本の環状の波溝１３４ａが、基端部１２０から０．４ｍｍの位置から中心軸ＡＸの方向に０．４ｍｍピッチで形成されている。また、各波溝１３４ａは、溝幅０．２ｍｍ、深さ０．１ｍｍ、振幅（中心軸ＡＸの方向の変位）０．４ｍｍであり、波溝１３４ａの溝底はＲ０．１の半円とした。
【００２８】
（実施例２）
図４に示すように、実施例２のフィクスチャ１００の第２部位１３４は、外径φ４．０ｍｍ、長さ４ｍｍであり、外周面には、８本の環状の波溝１３４ａが、基端部１２０から０．４ｍｍの位置から中心軸ＡＸの方向に０．４ｍｍピッチで形成されている。また、各波溝１３４ａは、溝幅０．２ｍｍ、深さ０．１ｍｍ、振幅（中心軸ＡＸの方向の変位）０．４ｍｍであり、波溝１３４ａの溝底はＲ０．１の半円とした。
【００２９】
（比較例１）
図５に示すように、比較例１のフィクスチャ１００１の第２部位１３４１は、外径φ３．５ｍｍ、長さ４ｍｍであり、外周面に溝が形成されていない。
【００３０】
（比較例２）
図６に示すように、比較例２のフィクスチャ１００２の第２部位１３４２は、外径φ３．５ｍｍ、長さ４ｍｍであり、外周面には、螺旋状のＶ溝１３４２ａが基端部１２０２から０．４ｍｍの位置から形成されている。なお、Ｖ溝１３４２ａの中心軸ＡＸ方向のピッチは、０．４ｍｍである。また、Ｖ溝１３４２ａは、溝幅０．２ｍｍ、深さ０．１ｍｍであり、溝底の角度は４５°とした。
【００３１】
（比較例３）
図７に示すように、比較例３のフィクスチャ１００３の第２部位１３４３は、外径φ３．５ｍｍ、長さ４ｍｍであり、外周面には、８本の環状の溝１３４３ａが、基端部１２０３から０．４ｍｍの位置から中心軸ＡＸの方向に０．４ｍｍピッチで形成されている。また、各溝１３４３ａは、溝幅０．２ｍｍ、深さ０．１ｍｍであり、溝１３４３ａの溝底はＲ０．１の半円とした。
【００３２】
（比較例４）
図８に示すように、比較例４のフィクスチャ１００４の第２部位１３４４は、外径φ４．０ｍｍ、長さ４ｍｍであり、外周面に溝が形成されていない。
【００３３】
（比較例５）
図９に示すように、比較例５のフィクスチャ１００５の第２部位１３４５は、外径φ４．０ｍｍ、長さ４ｍｍであり、外周面には、螺旋状のＶ溝１３４５ａが基端部１２０５から０．４ｍｍの位置から形成されている。なお、Ｖ溝１３４５ａの中心軸ＡＸ方向のピッチは、０．４ｍｍである。また、Ｖ溝１３４５ａは、溝幅０．２ｍｍ、深さ０．１ｍｍであり、溝底の角度は４５°とした。
【００３４】
（比較例６）
図１０に示すように、比較例６のフィクスチャ１００６の第２部位１３４６は、外径φ４．０ｍｍ、長さ４ｍｍであり、外周面には、８本の環状の溝１３４６ａが、基端部１２０６から０．４ｍｍの位置から中心軸ＡＸの方向に０．４ｍｍピッチで形成されている。また、各溝１３４６ａは、溝幅０．２ｍｍ、深さ０．１ｍｍであり、溝１３４６ａの溝底はＲ０．１の半円とした。
【００３５】
（早期生着性の検討）
実施例１、２及び比較例１〜６について、早期生着性の検討を行った。フィクスチャ１００が歯槽骨１０に早期生着するか否かは、フィクスチャ１００の表面粗さ（つまり、表面積）が重要であることが知られている。そこで、早期生着性の検討においては、実施例１、２及び比較例１〜６のフィクスチャのモデルを作成し、３ＤＣＡＤを用いて、各第２部位の全体の表面積及び各第２部位に形成された各溝の１回転分の表面積を測定した。そして、実施例１と比較例１〜３を比較し、実施例２と比較例４〜６を比較し、実施例１、２の構成の有効性を検証した。表１及び表２は、早期生着性の検討結果を示す表である。なお、表１の「対比」は、実施例１の第２部位１３４の全体の表面積及び第２部位１３４に形成された波溝１３４ａの１回転分の表面積をそれぞれ「１」としたときの、比較例１〜３の各第２部位の全体の表面積及び各第２部位に形成された各溝の１回転分の表面積の比率である。また、表２の「対比」は、実施例２の第２部位１３４の全体の表面積及び第２部位１３４に形成された波溝１３４ａの１回転分の表面積をそれぞれ「１」としたときの、比較例４〜６の各第２部位の全体の表面積及び各第２部位に形成された各溝の１回転分の表面積の比率である。なお、比較例１及び比較例４においては、第２部位に溝が形成されていないことから、０．２ｍｍ幅で１回転分の表面積を求め、これを溝相当の表面積とした。
【００３６】
【表１】
2019146813.tif 000003
【００３７】
【表２】
2019146813.tif 000004
【００３８】
表１に示すように、実施例１の第２部位１３４の全体の表面積及び第２部位１３４に形成された波溝１３４ａの表面積は比較例３と同等であり、比較例１、２と比較して、大きいのが分かる。表２に示すように、実施例２の第２部位１３４の全体の表面積及び第２部位１３４に形成された波溝１３４ａの表面積は比較例６と同等であり、比較例４、５と比較して、大きいのが分かる。このことから、実施例１、２は、比較例１、２、４、５と比較して（つまり、従来の構成と比較して）早期定着性が高いことが分かる。
【００３９】
（垂直方向及び傾斜方向の咬合力に対する安定性の検討）
実施例１、２及び比較例１〜６について、咬合力（垂直、傾斜）に対する安定性の検討を行った。インプラント治療によって、歯槽骨１０に埋め込まれたフィクスチャ１００は、天然歯と異なり直接歯槽骨１０の組織と接しているため、加わる咬合圧の衝撃は直接歯槽骨１０に伝達され、歯槽骨１０内の応力が増大し、大きな咬合咀嚼圧が加わった時にはフィクスチャ１００が破損したり、歯槽骨１０に直接吸収されることとなる。そこで、咬合力（垂直、傾斜）に対する安定性の検討においては、実施例１、２及び比較例１〜６のフィクスチャのモデルに、アバットメント２００、補綴物３００のモデルを組み合わせて皮質骨１２、海綿骨１３を想定したモデルに植立し、解析モデルを構築した。そして、実施例１、２及び比較例１〜６のフィクスチャを０〜３０°の範囲で傾斜させ、咬合面に垂直に１０００Ｎ荷重し、有限要素法にて応力解析を行った。そして、実施例１と比較例１〜３を比較し、実施例２と比較例４〜６を比較し、実施例１、２の構成の有効性を検証した。表３及び表４は、咬合力（垂直、傾斜）に対する安定性の検討結果を示す表である。なお、表３の「対比」は、実施例１のフィクスチャ１００が皮質骨１２及び海綿骨１３に与える応力をそれぞれ「１」としたときの、比較例１〜３のフィクスチャが皮質骨１２及び海綿骨１３に与える応力の比率である。また、表４の「対比」は、実施例２のフィクスチャ１００が皮質骨１２及び海綿骨１３に与える応力をそれぞれ「１」としたときの、比較例４〜６のフィクスチャが皮質骨１２及び海綿骨１３に与える応力の比率である。なお、皮質骨１２のモデルにおいては、皮質骨厚さ１．６ｍｍ、３．２ｍｍとし、海綿骨１３のモデルとしては海綿骨厚さ２２ｍｍとした。また、アバットメント２００は純チタン、補綴物３００は金合金（ＴｙｐｅIII）とし、各フィクスチャとアバットメント２００とを接続する接続スクリュウは純チタンであるものとした。なお、表３及び表４において、「垂直」とは実施例１、２及び比較例１〜６のフィクスチャが０°のときを示し、「傾斜」とは実施例１、２及び比較例１〜６のフィクスチャが３０°のときを示している。
【００４０】
【表３】
2019146813.tif 000005
【００４１】
【表４】
2019146813.tif 000006
【００４２】
表３に示すように、実施例１のフィクスチャ１００が皮質骨１２及び海綿骨１３に与える応力は、比較例１、２と同等であり、比較例３と比較して、小さいのが分かる。表４に示すように、実施例２のフィクスチャ１００が皮質骨１２及び海綿骨１３に与える応力は、比較例４、５と同等であり、比較例６と比較して、小さいのが分かる。このことから、実施例１、２は、比較例３、６と比較して（つまり、従来の構成と比較して）咬合力（垂直、傾斜）に対する安定性が優れていることが分かる。
【００４３】
（回転方向の咬合力に対する安定性の検討）
実施例１、２及び比較例１〜６について、咬合力（回転）に対する安定性の検討を行った。インプラント治療によって、歯槽骨１０に埋め込まれたフィクスチャ１００は、加わる咬合圧の衝撃によって、垂直方向及び傾斜方向の応力のみならず、回転方向の応力も加わるため、咬合力（回転）に対する安定性の検討を行った。咬合力（回転）に対する安定性の検討においては、実施例１、２及び比較例１〜６のフィクスチャのモデルを、皮質骨１２を想定したモデルに埋め込み、解析モデルを構築した。そして、皮質骨１２を想定したモデルの表面に１０００Ｎの回転モーメントを与え、有限要素法にて応力解析を行った。そして、実施例１と比較例１〜３を比較し、実施例２と比較例４〜６を比較し、実施例１、２の構成の有効性を検証した。表５及び表６は、咬合力（回転）に対する安定性の検討結果を示す表である。なお、表５の「対比」は、実施例１のフィクスチャ１００が皮質骨１２に与える応力をそれぞれ「１」としたときの、比較例１〜３のフィクスチャが皮質骨１２に与える応力の比率である。また、表６の「対比」は、実施例２のフィクスチャ１００が皮質骨１２に与える応力をそれぞれ「１」としたときの、比較例４〜６のフィクスチャが皮質骨１２に与える応力の比率である。なお、皮質骨１２のモデルにおいては、皮質骨サイズφ１０×１０ｍｍとした。
【００４４】
【表５】
2019146813.tif 000007
【００４５】
【表６】
2019146813.tif 000008
【００４６】
表５に示すように、実施例１のフィクスチャ１００が皮質骨１２に与える応力は、比較例１〜３と比較して、小さいのが分かる。表６に示すように、実施例２のフィクスチャ１００が皮質骨１２に与える応力は、比較例４〜６と比較して、小さいのが分かる。このことから、実施例１、２は、比較例１〜６と比較して（つまり、従来の構成と比較して）咬合力（回転）に対する安定性が優れていることが分かる。
【００４７】
このように、本実施形態のフィクスチャ１００には、皮質骨１２に位置する第２部位１３４の外周面に複数の環状の波溝１３４ａが形成されているため、皮質骨１２と接触する表面積が大きくなり、生着性に優れたものとなる。また、波溝１３４ａが形成されていることによって、垂直方向及び回転方向の咬合力に対しても高い安定性を有するものとなっている。
【００４８】
以上が本発明の実施の形態、及び実施例の説明であるが、本発明は、上記の構成に限定されるものではなく、本発明の技術的思想の範囲内において様々な変形が可能である。
【００４９】
例えば、本実施形態の説明においては、各波溝１３４ａは、外周面上を円周方向に延び、かつ中心軸ＡＸの方向に変位する正弦曲線状の波形パターンを、円周方向において４回繰り返した形状を呈しているとしたが、このような構成に限定されるものではなく、円周方向においてＮ回（Ｎは１以上の整数）繰り返した形状とすることができ、繰返し回数を調整することにより、回転方向の咬合力に対する安定性を調整することができる。また、必ずしも正弦曲線状の波形パターンとする必要はなく、例えば三角波、矩形波等、中心軸ＡＸの方向に変位する繰り返しパターンを形成すればよい。
【００５０】
また、本実施形態においては、８本の波溝１３４ａが形成されているとしたが、このような構成に限定されるものではなく、本数を調整することにより、早期生着性、咬合力に対する安定性を調整することができる。
【００５１】
また、今回開示された実施の形態は、全ての点で例示であって、制限的なものではないと考えられるべきである。本発明の範囲は、上記した説明ではなく、特許請求の範囲によって示され、特許請求の範囲と均等の意味及び範囲内での全ての変更が含まれることが意図される。
【符号の説明】
【００５２】
１０  歯槽骨
１２  皮質骨
１３  海綿骨
２０  歯茎
１００、１００１、１００２、１００３、１００４、１００５、１００６  フィクスチャ
１１０  先端部
１２０、１２０２  基端部
１３０  外周部
１３２  第１部位
１３２ａ  ネジ山
１３４、１３４１、１３４２、１３４３、１３４４、１３４５、１３４６  第２部位
１３４ａ  波溝
１４０  連結部
１４０ａ  ネジ穴
１４０ｂ  収容部
２００  アバットメント
３００  補綴物
１３４２ａ、１３４５ａ  Ｖ溝
１３４３ａ、１３４６ａ  溝
【図１】
2019146813.tif 000009
【図２】
2019146813.tif 000010
【図３】
2019146813.tif 000011
【図４】
2019146813.tif 000012
【図５】
2019146813.tif 000013
【図６】
2019146813.tif 000014
【図７】
2019146813.tif 000015
【図８】
2019146813.tif 000016
【図９】
2019146813.tif 000017
【図１０】
2019146813.tif 000018
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
歯槽骨に埋入されて結合する円柱状の歯科用インプラントフィクスチャであって、
前記歯槽骨に埋入されたときに、前記歯槽骨の海綿骨に位置する第１部位と、
前記歯槽骨に埋入されたときに、前記歯槽骨の皮質骨に位置する第２部位と、
を備え、
前記第２部位の外周面上を円周方向に延び、かつ中心軸方向に変位する複数の波溝が、前記中心軸方向に所定のピッチで形成されており、
前記各波溝の溝幅が、前記ピッチの略１／２であり、
前記各波溝の溝底の形状が、前記溝幅の略１／２の半径の半円形である
ことを特徴とする歯科用インプラントフィクスチャ。
【請求項２】
前記各波溝は、前記第２部位の外周面上を円周方向に延び、かつ前記中心軸方向に変位する一定の波形パターンを、円周方向においてＮ回（Ｎは１以上の整数）繰り返した形状を呈していることを特徴とする請求項１に記載の歯科用インプラントフィクスチャ。
【請求項３】
前記波形パターンが、正弦曲線であることを特徴とする請求項２に記載の歯科用インプラントフィクスチャ。
【請求項４】
前記第１部位の外周面上に、セルフタップのネジ山が形成されていることを特徴とする請求項１から請求項３のいずれか一項に記載の歯科用インプラントフィクスチャ。
【手続補正２】
【補正対象書類名】明細書
【補正対象項目名】００１０
【補正方法】変更
【補正の内容】
【００１０】
すなわち、本発明の歯科用インプラントフィクスチャは、歯槽骨に埋入されて結合する円柱状の歯科用インプラントフィクスチャであって、歯槽骨に埋入されたときに歯槽骨の海綿骨に位置する第１部位と、歯槽骨に埋入されたときに歯槽骨の皮質骨に位置する第２部位と、を備え、第２部位の外周面上を円周方向に延び、かつ中心軸方向に変位する複数の波溝が、中心軸方向に所定のピッチで形成されており、各波溝の溝幅が、ピッチの略１／２であり、各波溝の溝底の形状が、溝幅の略１／２の半径の半円形であることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】